(57)【要約】      （修正有）【課題】幅規制ガイドや送りガイドを要することなくカットしたサンドイッチの崩れや層のずれが生じないサンドイッチカッター用の搬送ベルトを提供する。【解決手段】２本のベルトＶ１，Ｖ２を用いなくても、従来の投入部や排出部にまで設けられていたガイドのような付属部材を用いることなく、カットされるサンドイッチの層のズレや崩れを防ぐことができるようになった。搬送ベルトＣｖ２は、従来の１本の搬送ベルトを送り方向に関して２分割した程度の幅を有する２本のベルトＶ１，Ｖ２を、送り方向に関して断面が浅いＶ状をなすように配置したものである。ベルトＶ１，Ｖ２のガイドローラＲ２で、２本のベルトＶ１、Ｖ２がなすＶ状の傾斜角に合った傾斜角が設けられている。【選択図】図６
0003188374.tif 000002
【実用新案登録請求の範囲】
【請求項１】
大略箱枠状をなすフレームと、当該フレームの手前側からフレームの前方側まで貫通して設けたサンドイッチ搬送用のベルトと、前記フレーム内であって前記ベルトの上方に配置したサンドイッチ切断用の刃物を具備するサンドイッチカッター用の搬送ベルトにおいて、当該搬送ベルトを、搬送方向の略中心に関して断面が浅いＶ状をなす形で前記フレームに配設したことを特徴とするサンドイッチカッター用の搬送ベルト。
【請求項２】
断面が浅いＶ状をなす形で配設されるベルトは、２本のベルトを送り方向に関して断面が浅いＶ状をなすように配置することによって、浅いＶ状をなすように配置した請求項１に記載した搬送ベルト。
【請求項３】
断面が浅いＶ状をなす形で配設されるベルトは、サンドイッチカッターの搬送ベルトにおけるサンドイッチ材の投入部とサンドイッチの排出部に挟まれた中間部に形成した請求項１又は２に記載した搬送ベルト。
【考案の詳細な説明】
【技術分野】
【０００１】
本考案は、野菜やハムなどの具材を平面から視て略四角形のパンに挟んだサンドイッチ材を、そのパンの対角線上でカットして平面視三角形状のサンドイッチを形成するようにしたサンドイッチカッターに組み込まれる搬送ベルトに関する。
【背景技術】
【０００２】
パン等の平面視四角形のパンに野菜やハム等の具材を挟んだサンドイッチ材は、サンドイッチカッターの搬送ベルトの投入口に配置されて切断刃に向けて搬送し、切断刃の部位を通過するときその刃でカットして排出口に運ばれるようになっている。
【０００３】
しかし、具材とパンが、３層から４層と厚く形成されたサンドイッチ材では、通常のサンドイッチカッターの搬送ベルトである平ベルトによって投入−切断−排出の搬送を行うと、サンドイッチ材の中央部が具材で膨らむように厚くなっているため、そもそも座りが不安定であるところ、これが刃物で２つにカットされるとさらに傾いてしまい、搬送中に受ける振動等によって具材とパンの間が広がって層がずれたり崩れてしまうという問題がある。
【０００４】
上記のサンドイッチ材において、具材のレタス等に調味料としてマヨネーズやケチャップ等のゾル状調味料が使用されていると、この調味料の性状によってカットされた後の傾きでパンと具材が滑ってずれてしまうという問題もある。
【０００５】
従来、上記のようなカットされたサンドイッチの層の崩れや層のずれに対処する手法としては、図４に例示するようにサンドイッチ材ＳｍをベルトＣｖ１の上にパンの前後辺を送り方向に正対して置き、投入口から排出口までの搬送ベルト上に前記サンドイッチ材Ｓｍの幅規制ガイドＧ１を設けたり、図５に示すようにサンドイッチ材Ｓｍを送り方向に関し菱形をなすように置き、投入から排出までの搬送ベルトＣｖ１上に送りガイドＧ２を設置し、このガイドＧ２でサンドイッチ材Ｓｍを挟んだ状態でカットして排出直前までガイドＧ２で挟んで運ぶようにしていた。図４、図５において、Ｓｗはカットされたサンドイッチ、Ｃ１，Ｃ２はカッター（刃物）である。
【０００６】
しかし乍ら、上記のように投入口から排出口まで幅規制や送りのためのガイドＧ１やＧ２を用いると、搬送ベルトＣｖ１の周囲や当該ベルトＣｖ１の上方がガイドによって複雑な構造や煩雑な形態となるため、刃物等の配置デザインの自由度が狭まったり、刃物の切断動作の方向が制約されたり、或は、余計な部品，部材を要するなどの難点がある。
【０００７】
ところが特許文献１〜３などの従来技術においては、上記難点に対する措置を考慮したと思われる提案は見当たらない。
【先行技術文献】
【特許文献】
【０００８】
【特許文献１】特公平７−１００３１７号公報
【特許文献２】特許第３８４４７５９号公報
【特許文献３】特開２００５−２９７１１０号公報
【考案の概要】
【考案が解決しようとする課題】
【０００９】
そこで本考案では、従来の投入口や排出口にも必要であった幅規制ガイドや送りガイドを設けることなくカットしたサンドイッチの崩れや層のずれが生じないサンドイッチカッター用の搬送ベルトを提供することを課題とする。
【課題を解決するための手段】
【００１０】
上記課題を解決することを目的としてなされた本考案のサンドイッチカッター用搬送ベルトの構成は、大略箱枠状をなすフレームと、該フレームの手前側からフレームの前方側まで貫通して設けたサンドイッチ搬送用のベルトと、前記フレーム内であって当該ベルトの上方に配置したサンドイッチ切断用の刃物を具備するサンドイッチカッター用の搬送ベルトにおいて、前記搬送ベルトを、搬送方向の略中心に関して断面が浅いＶ状をなす形で配設したことを特徴とするものである。
【００１１】
本考案において、断面が浅いＶ状をなす形で配設されるベルトは、サンドイッチカッターにおけるサンドイッチ材の投入部とサンドイッチの排出部に挟まれた中間部である。従って、サンドイッチ材の投入部とサンドイッチ排出部の搬送ベルトはフラットである。
【００１２】
また、本考案において、搬送ベルトは、２本のベルトを送り方向に関して断面が浅いＶ状をなすように配置することによって、カット用の刃物の手前からカットした後の排出口の手前までを浅いＶ状をなすように配置する。なお、前記２本のベルトは、１本のベルトをその幅方向において浅い断面Ｖ状をなすようにガイド等によって強制して配置するベルトで代替することもできる。すなわち、１本のベルトの場合、その送り方向中央部にＶ状溝を形成し、当該ベルトをＶ状の溝に沿って浅いＶ状に折曲してそれを保持すればよい。
【考案の効果】
【００１３】
本考案によれば、サンドイッチ用の搬送ベルトとサンドイッチ材を切断する刃物を備えたサンドイッチカッターにおいて前記搬送ベルトを、搬送方向の略中心に関して断面が浅いＶ状をなす形で配設したから、切断される前のサンドイッチ材は、浅いＶ状のベルトによって当該サンドイッチ材の送り方向の左右側部が下面から支持され、カットした後のサンドイッチは、夫々がＶ状ベルトの傾斜面によってサンドイッチの下面全域がフラットに支持されて中央側（Ｖ状ベルトの谷底）に傾斜した姿勢になるから、サンドイッチの各層が崩れたり滑ってずれることが無くなる。
【図面の簡単な説明】
【００１４】
【図１】本考案搬送ベルトで搬送するサンドイッチ材の一例のカット状態を模式的に示した正断面図。
【図２】本考案搬送ベルトで搬送するサンドイッチ材の他の例のカット状態を模式的に示した正断面図。
【図３】従来の搬送ベルトによるサンドイッチ材の搬送状態を模式的に例示した正断面図。
【図４】従来の搬送ベルト用の幅規制ガイドの概要を説明するための平面図。
【図５】従来の搬送ベルト用の送りガイドの概要を説明するための平面図。
【図６】本考案搬送ベルトの使用状態の概要を説明するために模式的に示した断面図。
【図７】本考案ベルトを適用したサンドイッチカッターの一例の概要を示す正面図。
【図８】図７のサンドイッチカッターの平面図。
【考案を実施するための形態】
【００１５】
次に、図１〜図８に参照して本考案の実施の形態例について説明する。
【００１６】
図１，図２は本考案ベルトを適用するサンドイッチカッター（図７，図８参照）によりカットされるサンドイッチＳＷ１，ＳＷ２の断面図である。図１，図２において、Ｐ１，Ｐ２，Ｐ３はサンドイッチＳＷ１，ＳＷ２の一層，二層，三層に配置されるパン、Ｊ１〜Ｊ６は、それぞれ、各層のパンＰ１〜Ｐ３の間に挟まれる具材の例で、Ｊ１はハム，Ｊ２はレタス，Ｊ３はトマト，Ｊ４はサラダ菜，Ｊ５はカツ，Ｊ６はキャベツである。サンドイッチＳＷ１，ＳＷ２の具材Ｊ１〜Ｊ６は、もちろん上記例以外のものであってもよい。なお、図示しないが、上記レタスＪ２には味付けのためケチャップやマヨネーズが使用されている。
【００１７】
図１，図２に模式的に示したカットされたサンドイッチＳＷ１，ＳＷ２は、カットされるとその幅の割には背が高くなるため、この状態でも倒れ易いが、搬送ベルトで運ばれると、振動や移動慣性などの影響で一層倒れ易くなり、倒れなくても各層がずれたり崩れてしまうことがあったことは、先に述べたとおりである。
【００１８】
図７，図８に例示したサンドイッチカッターＳＣのフレームＦに架設されている搬送ベルトは、従来では図３に例示したように、１本の平坦（水平）なベルトＣｖ1であるため、図１，図２に例示したようにサンドイッチＳＷ１，ＳＷ２では層のずれや崩れが生じ易かった。なお、図３において、Ｒ１はベルトＣｖ１のガイドローラである。
【００１９】
そこで、従来技術においてはサンドイッチの層のずれは崩れを防ぐために、図４，図５に模式的平面図として示したガイドＧ１，Ｇ２を使用していた。すなわち、図４のガイドＧ１は搬送ベルトＣｖにおけるサンドイッチ材Ｓｍの投入口から排出口までの間に、サンドイッチ材Ｓｍを左右から挟むことができるようにした立壁状の幅方向ガイドである。ここではベルトＣｖ１上に四角形の正姿勢でサンドイッチ材Ｓｍが置かれるから、カッター（刃物）Ｃ１は、平面視４５度の角度でサンドイッチ材Ｓｍに対して昇降するタイプである。
【００２０】
一方、図５のガイドＧ２は、サンドイッチ材Ｓｍが平面視菱形の姿勢でベルトＣｖ１上に置かれるため、該サンドイッチ材Ｓｍの送り方向に関する左右の隔部を挟むように、平面視略く状のガイドＧ２を送り方向の左右に対称的に配置して、サンドイッチ材Ｓｍを、その投入口から排出口までガイドＧ２で挟んで移動させるようになっている。このガイドＧ２ではカッターＣは、送り方向に平行な姿勢でサンドイッチ材Ｓｍに対して昇降するタイプである。ガイドＧ２の場合には、カッターＣは昇降しない定位置固定タイプでもよい。
【００２１】
上記のように、従来は搬送中に刃物Ｃ１、Ｃ２でカットされたサンドイッチＳＷの層のずれや崩れを防止するため、搬送ベルトＣｖ１に対して前記のガイドＧ１，Ｇ２を設置することを不可欠としていた。
【００２２】
しかし、本考案では図３に例示した搬送ベルトＣｖ１を、以下に図６などに基づき説明する構成の２本のベルトＶ１，Ｖ２を用いなくても、従来の投入部や排出部にまで設けられていたガイドＧ１，Ｇ２のような付属部材を用いることなく、カットされるサンドイッチＳＷ１，ＳＷ２の層のズレや崩れを防ぐことができるようになった。
【００２３】
すなわち、本考案搬送ベルトＣｖ２は、従来の１本の搬送ベルトＣｖ１を送り方向に関して２分割した程度の幅を有する２本のベルトＶ１，Ｖ２を、送り方向に関して断面が浅いＶ状をなすように配置したものである（図６参照）。図６において、Ｒ２，Ｒ３はベルトＶ１，Ｖ２のガイドローラで、２本のベルトＶ１、Ｖ２がなすＶ状の傾斜角に合った傾斜角で設けられている。
【００２４】
本考案では、図７，図８のサンドイッチカッターＳＣにおいて、搬送ベルトＣｖ２となる２本のベルトＶ１，Ｖ２を浅いＶ状に配置する範囲（区間）は、図７，図８に「Ｖ状区間」として例示した範囲に設定している。図７，図８では、ベルトＶ１，Ｖ２のＶ状形成は、図６のローラＲ２，Ｒ３ではなく、ベルトＶ１，Ｖ２の下面に浅いＶ状をなすように配設した２枚のプレートガイドＢｇによって形成される。すなわち、図７，図８のサンドイッチカッターＳＣでは、ベルトＶ１，Ｖ２の下面に、当該ベルトＶ１，Ｖ２をＶ状に傾斜させるプレート状のガイドＢｇが配置されている。
図７，図８のサンドイッチカッターＳＣにおける搬送ベルトＣｖ２は、投入口Ｉｎの近傍と排出口Ｏｕの近傍の小区間は、２本のベルトＶ１，Ｖ２は平坦（フラット）な配置であるが、このフラットな区間に挟まれた中間部（Ｖ状区間）が浅いＶ状をなす。
【００２５】
搬送ベルトＣｖ２を、浅いＶ状となるように配置する２本のベルトＶ１，Ｖ２を使用すると、両ベルトＶ１，Ｖ２の対向ラインが形成する隙間ｇ（図６参照）が、カッターＣが昇降する切断動作時に入り込むスリットになるので、好適である。
【００２６】
本考案においては、搬送ベルトＣＶ２を浅いＶ状に配置するのに用いた２本のベルトＶ１，Ｖ２に代えて、１本のベルトであっても、浅いＶ状を実現できる。
すなわち、図示しないが、肉厚のある１本のベルトの送り方向に沿ったセンターラインに沿って、当該ベルトにＶ状の溝を形成してやれば、そのＶ状溝に沿ってベルトを浅い谷状に折ることができるから、このベルトを搬送ベルトＣｖ２として用いることができる。但し、この場合には、２本のベルトＶ１，Ｖ２による突合せセンター部の隙間ｇ（図６参照）がないから、カッターＣは前記Ｖ状溝の底に当るまでしか降下させられない。
【００２７】
以上に説明した本考案搬送ベルトＣｖ２を適用した図７，図８のサンドイッチカッターＳＣが備える他の構成について、以下に説明する。
図７，図８のサンドイッチカッターＳＣでは、フレームＦ，搬送ベルトＣｖ２，刃物（カッターともいう）Ｃのほかに、切断時に切断対象のサンドイッチ材Ｓｍを保持するために昇降する押えガイドＧｐと送り方向に関して開閉する位置決めガイドＧｈが設けられている。
【００２８】
すなわち、このガイドＧｐとＧｈは、サンドイッチ材ＳｍにカッターＣが揺動しつつ降下してカット作用をするときだけ、当該サンドイッチ材ＳｍをガイドＧｐが上から押えると同時に、ガイドＧｈが送り方向に関し左右から保持してカット位置を決める作用をする。このために、ガイドＧｐとＧｈはシリンダ等の駆動力によって開閉動作をするように形成されている。
【００２９】
一方、送り方向と平行な向きで配置され、その位置で昇降する切断刃たるカッターＣは、その上部に３つの超音波振動子Ｕｓを備えており、超音波振動しながらサンドイッチ材Ｓｍ上に降下して切断する超音波カッターである。また、このカッターＣは、切断作動時に、超音波振動が付与されて昇降するとき同時に、例えば１０〜３０ｍｍ程度のストロークによる前後揺動をしつつサンドイッチ材Ｓｍに切り込んで行く切断作用をするように形成されている。
【００３０】
本考案は以上の通りであって、サンドイッチカッター用の搬送ベルトを、搬送方向の略中心に関して断面が浅いＶ状をなす形で配設したから、従来のサンドイッチカッターで不可欠であった投入口と排出口での搬送用ガイドを使用しなくても、カットしたサンドイッチの層がずれたり崩れたりすることがないから、サンドイッチカッター用の搬送ベルトとしてきわめて有用である。
【符号の説明】
【００３１】
Ｓｍ  サンドイッチ材
ＳＷ１，ＳＷ２  サンドイッチ
Ｃｖ１，Ｖｖ２  搬送ベルト
Ｖ１，Ｖ２  搬送ベルトＣｖ２を形成するベルト
【図１】
0003188374.tif 000003
【図２】
0003188374.tif 000004
【図３】
0003188374.tif 000005
【図４】
0003188374.tif 000006
【図５】
0003188374.tif 000007
【図６】
0003188374.tif 000008
【図７】
0003188374.tif 000009
【図８】
0003188374.tif 000010